(57)【要約】      （修正有）【課題】目をより良く保護し、容易に取り付けられ、着用隙間の無いゴーグルを提供する。【解決手段】ゴーグルは、レンズアセンブリ１００及びレンズアセンブリにそれぞれ設けられた２つのつるを含み、レンズアセンブリの上部に制限バー１１０が設けられ、制限バーのつるに向く側に少なくとも２つの固定柱が設けられ、制限バーのつるとは反対の側に少なくとも２つの嵌め込み突起が設けられている本体と、レンズアセンブリの上部に嵌め込まれ、底部に制限バーと嵌合する制限溝が設けられ、制限溝内に固定柱と嵌合する固定ジョーが設けられ、制限溝の溝面に嵌め込み突起に適合した少なくとも２つの係止穴が設けられるシリコーンゴムパーツ２００を備える。【選択図】図２
0003230690.tif 000002
【実用新案登録請求の範囲】
【請求項１】
レンズアセンブリ（１００）と前記レンズアセンブリ（１００）の両端それぞれに設けられた２つのつる（３００）とを含む本体と、
前記レンズアセンブリ（１００）の上部に取り外し可能に嵌め込まれるシリコーンゴムパーツ（２００）とを具備することを特徴とするゴーグル。
【請求項２】
前記レンズアセンブリ（１００）の上部に制限バー（１１０）が設けられ、
前記制限バー（１１０）の前記つる（３００）に向く側に少なくとも２つの固定柱（１１２）が設けられ、
前記制限バー（１１０）の前記つる（３００）とは反対の側に少なくとも２つの嵌め込み突起（１１１）が設けられ、
前記シリコーンゴムパーツ（２００）の底部に前記制限バー（１１０）と嵌合する制限溝（２１０）が設けられ、
前記制限溝（２１０）内に前記固定柱（１１２）と嵌合する固定ジョーが設けられ、
前記制限溝（２１０）の溝面に前記嵌め込み突起（１１１）に適合した少なくとも２つの係止穴（２１１）が設けられることを特徴とする請求項１に記載のゴーグル。
【請求項３】
前記２つのつる（３００）の端部にはストラップ（４００）が接続され、
前記ストラップ（４００）の中央部には調整用バックル（５００）が設けられ、
前記シリコーンゴムパーツ（２００）の前側にはシールガスケット（２２０）が設けられていることを特徴とする請求項１に記載のゴーグル。
【請求項４】
前記固定ジョーの内側は、前記固定柱（１１２）の側面に適合した円柱側壁（２３１）であり、
前記円柱側壁（２３１）の底部に嵌め込み口（２３２）が設けられ、
前記嵌め込み口（２３２）の幅が前記固定柱（１１２）の直径よりも小さいことを特徴とする請求項２に記載のゴーグル。
【請求項５】
前記制限バー（１１０）の上部には凸エッジ（１１３）が設けられ、
前記制限溝（２１０）内には前記凸エッジ（１１３）と嵌合するバックル溝（２１２）が設けられていることを特徴とする請求項２に記載のゴーグル。
【請求項６】
前記制限溝（２１０）の側壁には凸ストリップ（２１３）が設けられ、
前記凸ストリップ（２１３）と前記制限溝（２１０）の内側上面はバックル溝（２１２）を形成することを特徴とする請求項５に記載のゴーグル。
【請求項７】
前記シリコーンゴムパーツ（２００）内には緩衝構造が設けられていることを特徴とする請求項１〜６のいずれか一項に記載のゴーグル。
【請求項８】
前記緩衝構造は緩衝溝（２４０）であり、
前記緩衝溝（２４０）内にいくつかの支持骨部が設けられていることを特徴とする請求項７に記載のゴーグル。
【請求項９】
前記支持骨部は、前記緩衝溝（２４０）の両側に設けられた三角形骨部（２４１）と、前記緩衝溝（２４０）の中央部に設けられたストリップ状骨部（２４２）とを含むことを特徴とする請求項８に記載のゴーグル。
【請求項１０】
前記つる（３００）は、レンズアセンブリ（１００）の両端にヒンジで接続され、
前記つる（３００）の端部には取り付け穴が設けられ、
前記ストラップ（４００）の両端はそれぞれ２つの前記つる（３００）の両端にヒンジで接続されていることを特徴とする請求項３に記載のゴーグル。
【考案の詳細な説明】
【技術分野】
【０００１】
本考案は、衛生防護技術分野に関し、特にゴーグルに関する。
【背景技術】
【０００２】
現在の市販されているゴーグルと額部の間に着用隙間があり、額部とゴーグルが密着されていないため、防護が完全ではなく、埃、飛沫、エアロゲル又は飛散液体は着用隙間からゴーグル内に入ることがある。
【０００３】
しかし、従来の市販されているゴーグルは、一般的に硬質ゴムであり、硬質ゴムは、変形しにくいため、異なる額部の形状に適応できず、着用隙間が生じやすく、防護機能に影響を与える。また、従来のゴーグルは、取り付けが不便で、快速交換機能を実現できず、メンテナンスが難しい。
【考案の概要】
【考案が解決しようとする課題】
【０００４】
本考案は、従来技術の技術的問題の一つを少なくとも解決することを目的としている。本考案は、目をより良く保護し、容易に取り付けられ、着用隙間を無くすことができるゴーグルを提供することを目的とする。
【課題を解決するための手段】
【０００５】
本考案の第一の実施形態によるゴーグルは、レンズアセンブリ及び前記レンズアセンブリの両端にそれぞれ設けられた２つのつるを含む本体と、前記レンズアセンブリの上部に取り外し可能に嵌め込まれるシリコーンゴムパーツとを備える。
【０００６】
本考案の実施形態によるゴーグルは、額部に密着されるシリコーンゴムパーツが設けられ、シリコーンゴムパーツの良好な塑性変形特性により、着用隙間が無くなり、これにより、病原菌及び飛沫をより良く防護することができ、シリコーンゴムパーツをゴーグルに嵌め込み方式で取り付けるため、取り付けが非常に便利であり、シリコーンゴムパーツの迅速な取り外し及び交換に有利であるという有益な効果を少なくとも有している。
【０００７】
本考案のいくつかの実施形態によれば、前記レンズアセンブリの上部には制限バーが設けられ、前記制限バーの前記つるに向く側に少なくとも２つの固定柱が設けられ、前記制限バーの前記つるとは反対の側に少なくとも２つの嵌め込み突起が設けられ、前記シリコーンゴムパーツの底部に前記制限バーと嵌合する制限溝が設けられ、前記制限溝内に前記固定柱と嵌合する固定ジョーが設けられ、前記制限溝の溝面に前記嵌め込み突起に適合した少なくとも２つの係止穴が設けられ、制限バーと制限溝の構造により、シリコーンゴムパーツがゴーグルに安定的に嵌め込まれ、シールが良く、取り付けが緊密であり、シリコーンゴムパーツ内に穴を開けて固定柱で支持し、シリコーンゴムパーツの弾性を強くして額部へのより良い密着力を生成し、ゴーグルの被覆性を向上させ、額部との隙間を無くし、防護能力及び快適さを高める。
【０００８】
本考案のいくつかの実施形態によれば、２つの前記つるの端部にはストラップが接続され、前記ストラップの中央部には調整用バックルが設けられ、前記シリコーンゴムパーツの前側にはシールガスケットが設けられている。
【０００９】
本考案のいくつかの実施形態によれば、前記固定ジョーの内側は、前記固定柱の側面に適合した円柱側壁であり、前記円柱側壁の底部に嵌め込み口が設けられており、前記嵌め込み口の幅が固定柱の直径よりも小さい。
【００１０】
本考案のいくつかの実施形態によれば、前記制限バーの上部には凸エッジが設けられ、前記制限溝内には前記凸エッジと嵌合するバックル溝が設けられている。
【００１１】
本考案のいくつかの実施形態によれば、前記制限溝の側壁には凸ストリップが設けられ、前記凸トリップと前記制限溝の内側上面は前記バックル溝を形成する。
【００１２】
本考案のいくつかの実施形態によれば、前記シリコーンゴムパーツ内には緩衝溝が設けられている。
【００１３】
本考案のいくつかの実施形態によれば、前記緩衝溝内にはいくつかの支持骨部が設けられている。
【００１４】
本考案のいくつかの実施形態によれば、前記支持骨部は、前記緩衝溝の両側に設けられた三角形骨部と、前記緩衝溝の中央部に設けられたストリップ状骨部とを含む。
【００１５】
本考案のいくつかの実施形態によれば、前記つるは、前記レンズアセンブリの両端にヒンジで接続され、前記つるの端部には取り付け穴が設けられ、前記ストラップの両端はそれぞれ２つの前記つるの両端にヒンジで接続されている。
【００１６】
本考案の追加の態様及び利点は、以下の説明で部分的に示され、一部が以下の説明から明らかになり、又は本考案の実践によって理解される。
【図面の簡単な説明】
【００１７】
【図１】図１は本考案の実施形態の全体構造図である。
【図２】図２は図１に示す全体構造の分離構造図である。
【図３】図３は図２に示すＡの局部拡大図である。
【図４】図４は図１に示すシリコーンゴムパーツの構造図である。
【図５】図５は図４に示すＢの局部拡大図である。
【考案を実施するための形態】
【００１８】
以下に本考案の実施形態を詳細に説明し、前記実施形態の例が図面に示され、本明細書を通して同じ又は類似の符号が同じもしくは類似の素子、又は同じもしくは類似の機能を有する素子を表す。以下に図面を参照して説明される実施形態は、例示的なものであり、本考案を解釈することのみに用いられるが、本考案を制限するものとして理解されるべきではない。
【００１９】
本考案の説明では、方位説明に係り、例えば「上」、「下」、「前」、「後」、「左」、「右」などに示される方位又は位置関係は、図面に基づいて示される方位又は位置関係であり、本考案を容易に説明し、説明を簡略化するためのものだけであり、言及される装置又は素子が必ず特定の方位を有したり、特定の方位で構築及び操作されたりすることを示し又は暗示するためのものではないと理解すべきであり、したがって、本考案を制限するためのものとして理解されるべきではない。
【００２０】
本考案の説明では、いくつかとは１つ又は複数を意味し、複数とは２つ以上を意味するが、「よりも大きい」、「よりも小さい」、「超える」などが本数を含めないが、「以上」、「以下」、「以内」等が本数を含むと理解される。構成要素を区別することのみに用いられる第一、第二の説明がある場合、それらは、相対的な重要性を示しもしくは示唆し、又は示される構成要素の数を暗黙的に指し、又は示される構成要素の前後関係を暗黙的に指すものと理解されるべきではない。
【００２１】
本考案の説明では、特に明記しない限り、設置、取り付け、接続などの用語は、広義に理解されるべきであり、当業者は、技術的解決策の具体的な内容を組み合わせることにより、本考案における上記用語の具体的な意味を合理的に確定することができる。
【００２２】
図１から図５を参照して以下に本考案の実施形態のゴーグルを説明する。
【００２３】
図１から図５に示すように、ゴーグルは、本体と、本体に設けられたシリコーンゴムパーツ２００とを備える。本体は、レンズアセンブリ１００と、レンズアセンブリ１００の両端にそれぞれ設けられた２つのつる３００とを含む。レンズアセンブリ１００が２枚のレンズで接続されてなる。つる３００は、レンズアセンブリ１００にヒンジで接続され、レンズアセンブリ１００の上部に制限バー１１０が設けられる。
【００２４】
レンズアセンブリ１００が人の顔部位及び目部位に適合したフローアーク型構造であるが、制限バー１１０はレンズアセンブリ１００の上部にフローアーク型であり、制限バー１１０のつる３００に向く側に少なくとも２つの固定柱１１２が設けられ、制限バー１１０のつる３００とは反対の側に少なくとも２つの嵌め込み突起１１１が設けられ、即ち固定柱１１２の設置方向が着用時の着用者の顔に向き、嵌め込み突起１１１の設置方向が着用時の着用者の顔とは反対側に向き、固定柱１１２が定型制限の機能を果たし、シリコーンゴムパーツ２００の取り付けを容易にするが、嵌め込み突起１１１は、シリコーンゴムパーツ２００をゴーグルの上部に完全に固定して嵌め込み、シール取り付けを実現し、細菌を阻む。
【００２５】
シリコーンゴムパーツ２００は、レンズアセンブリ１００の上部に嵌め込まれ、底部に制限バー１１０と嵌合する制限溝２１０が設けられるため、制限バー１１０に係合されることができ、制限溝２１０内に固定柱１１２と嵌合する少なくとも２つの固定ジョーが設けられ、制限溝２１０の内側溝面に、嵌め込み突起１１１と嵌合する少なくとも２つの係止穴２１１が設けられる。制限溝２１０が制限バー１１０と嵌合している場合、固定柱１１２は、固定ジョーに係合され、嵌め込み突起１１１は、係止穴２１１に設けられ、シリコーンゴムパーツ２００の取り付けを実現する。
【００２６】
ここで、嵌め込み突起１１１と固定柱１１２の両方は、シリコーンゴムの優れた弾性変形能力を利用し、係止穴２１１と固定ジョーにそれぞれ係合される。シリコーンゴムパーツ２００内に穴を開けて固定柱１１２でシリコーンゴムパーツ２００を固定して支持することにより、シリコーンゴムの弾性を強くし、額部へのより良い密着を生成し、良好な被覆性を有し、防護能力と快適さを向上させる。また、シリコーンゴムパーツ２００は、さらに他の嵌め込み方式によってレンズアセンブリ１００に接続されてもよく、同様に本考案の技術的効果を達成することができる。
【００２７】
説明すべきこととして、本考案で用いられる固定柱１１２、嵌め込み突起１１１は、円筒形に限定されず、正方形、扁形又は他の形状などの柱形構造であってもよい。
【００２８】
本考案のいくつかの実施形態では、つる３００の端部にはストラップ４００が接続され、ストラップ４００は弾性ストラップであり、弾性回復機能を有し、ストラップ４００の中央部には調整用バックル５００が設けられ、ストラップ４００の中央部が折りたたまれて調整用バックル５００内に挿入され、前記調整用バックル５００の挿通穴に２本の弾性ストラップが通過し、折り畳んだ弾性ストラップを係止し、調整用バックル５００は、ストラップ４００の有効長さを調整でき、ストラップ４００はゴーグルを有効長さで使用者の頭にしっかりと結ぶ。
【００２９】
本考案のいくつかの実施形態では、シリコーンゴムパーツ２００の前側にはシールガスケット２２０が設けられ、シールガスケット２２０はそれ自体がシリコーンゴムパーツ２００に設けられたシールガスケット２２０であってもよく、シールガスケット２２０はレンズアセンブリ１００の上部に設けられ、それによって良好なシール効果を達成する。
【００３０】
本考案のいくつかの実施形態では、固定ジョーの内側は固定柱１１２の側面に適合した円柱側壁２３１であり、円柱側壁２３１の底部に嵌め込み口２３２が設けられており、嵌め込み口２３２の幅が固定柱１１２の直径よりも小さく、シリコーンゴムの弾性変形性能により、固定柱１１２は、嵌め込み口２３２から円筒形側壁２３１に入り、嵌め込み口２３２は、嵌合機能を達成するために、固定柱１１２を円筒形側壁２３１に係合する。
【００３１】
本考案のいくつかの実施形態では、制限バー１１０の上部には凸エッジ１１３が設けられ、制限溝２１０内には凸エッジ１１３と嵌合する係合溝２１２が設けられ、制限溝２１０が制限バー１１０に圧着されると、凸エッジ１１３は、係合溝２１２に係合され、それによって安定した嵌め込み効果が向上し、シリコーンゴムパーツ２００の抜け止め性能が高まる。
【００３２】
具体的には、制限溝２１０の側壁に凸ストリップ２１３が設けられ、凸ストリップ２１３と制限溝２１０の内側上面は係合溝２１２を形成し、これにより、凸エッジ１１３が制限溝２１０に係合されるときに通過する必要がある距離が短くなり、制限溝２１０内への凸ストリップ２１３の係合が便利である。
【００３３】
本考案のいくつかの実施形態では、つる３００には台形状の頬部が設けられ、台形状の頬部の縁を掴むことで、美観効果を向上させることに役立つ。
【００３４】
本考案のいくつかの実施形態によれば、つる３００の端部には取り付け穴が設けられ、ストラップ４００の両端はそれぞれ２つのつる３００の両端にヒンジで接続され、これにより、ストラップ４００は、つる３００間に接続される。ストラップ４００の両端には円柱ヘッドが設けられ、円柱ヘッドは取り付け穴内に回転可能に接続され、それによってストラップ４００は取り付け穴に接続される。
【００３５】
本考案のいくつかの実施形態によれば、制限バー１１０には７つの嵌め込み突起１１１及び２つの固定柱１１２が均一に設けられ、２つの固定柱１１２は、それぞれ制限バー１１０の両端に設けられ、当然、制限バー１１０には他の数の嵌め込み突起１１１及び固定柱１１２が設けられてもよく、これらは、いずれもシリコーンゴムパーツ２００の嵌合機能を実現することができる。シリコーンゴムパーツ２００の両端には２つの固定柱１１２が設けられて固定され、シリコーンゴムパーツ２００の中央部位置は依然として良好な弾性変形能力を保持し、形状の異なる額部に適応でき、完全に額部に密着され、良好な防護バリアを形成する。
【００３６】
本考案のいくつかの実施形態によれば、シリコーンゴムパーツ２００内には緩衝構造も設けられ、緩衝構造は圧力を受けるときの動作ストロークを増加させるために使用され、具体的には、緩衝構造は緩衝溝２４０であり、緩衝溝２４０は、人体の額部に密着している円弧状であり且つシリコーンゴムパーツ２００と額部の密着位置に近く、ゴーグルが人体に着用されると、緩衝溝２４０は、シリコーンゴムパーツを十分に変形させ、中空ではない中実のシリコーンゴムよりも大きな緩衝を与え、額部へのシリコーンゴムの被覆性及び快適さを高めることができる。緩衝溝２４０内にはいくつかの支持骨部が設けられ、いくつかの支持骨部が緩衝溝２４０を支持するために使用され、緩衝溝２４０が過度に変形して額部へのシリコーンゴムパーツ２００の密着効果に影響を与えることを回避し、シリコーンゴムの弾性を強くし、防護能力と快適さを向上させる。
【００３７】
具体的には、支持骨部は緩衝溝２４０の両側に設けられた三角形骨部２４１と緩衝溝の中央部に設けられたストリップ状骨部２４２とを含み、三角形骨部２４１は、シリコーンゴムパーツ２００の両側を支持するために使用され、こめかみに近い部位に密着され、ストリップ状骨部２４２は額部の前側を支持するために使用される。上記の構造設計により、シリコーンゴムパーツ２００は、人体の額部により密着され、快適さ及び防護能力を向上させる。また、緩衝構造は、緩衝溝２４０の構造に限定されなく、穴、又はシリコーンゴムパーツ２００の動作ストロークを増加させるための他の構造であってもよく、いずれも本考案の保護範囲内である。
【００３８】
以上に図面を組み合わせて本考案の実施形態を詳細に説明したが、本考案は上記実施形態に限定されず、当業者が持っている知識範囲内で、本考案の要旨を逸脱することなく様々な変更を行うことができる。
【符号の説明】
【００３９】
１００…レンズアセンブリ、１１０…制限バー、１１１…嵌め込み突起、１１２…固定柱、１１３…凸エッジ、２００…シリコーンゴムパーツ、２１０…制限溝、２１１…係止穴、２１２…バックル溝、２１３…凸ストリップ、２２０…シールガスケット、２３１…円柱側壁、２３２…嵌め込み口、２４０…緩衝溝、２４１…三角形骨部、２４２…ストリップ状骨部、３００…つる、４００…ストラップ、５００…調整用バックル。
【図１】
0003230690.tif 000003
【図２】
0003230690.tif 000004
【図３】
0003230690.tif 000005
【図４】
0003230690.tif 000006
【図５】
0003230690.tif 000007